(57)【要約】  【課題】輸送時におけるイチゴ等の内容物の損傷を防止する。  【解決手段】箱状の容器本体１と、容器本体１内に装填され、且つ、イチゴ５，５…等の内容物を載置収納するための収納凹部４が複数形成されたトレー２と、容器本体１に開閉可能に設けられた箱状の透明カバー６とから成る包装容器８であって、該透明カバー６の下面開口部に伸縮性フィルムシート７が内容物に弾性的に接触するように張設され、伸縮性フィルムシート７による弾性的な接触圧（弾接力）により、イチゴ５，５…等の内容物の動きを抑止できるように構成した。又、透明パック１の底面には、トレー２の位置ずれを規制すべく突起部３，３を設け、イチゴ５，５…等の内容物の動きを拘束する。【選択図】図２
2010168083.tif 000002
【特許請求の範囲】
【請求項１】
箱状の容器本体と、該容器本体内に装填され、且つ、果物等の内容物を載置収納する収納凹部が複数形成されたトレーと、前記容器本体を施蓋する箱状のカバーとから成る包装容器であって、該カバーの下面開口部に伸縮性フィルムシートを前記内容物に弾接するように張設し、該伸縮性フィルムシートによる弾接力により前記内容物の動きを抑止できるように構成したことを特徴とする包装容器。
【請求項２】
上記容器本体の底面又は内側面に上記トレーの位置ずれを規制する突起部を設けたことを特徴とする請求項１記載の包装容器。
【発明の詳細な説明】
【技術分野】
【０００１】
本発明は包装容器に関するものであり、特に、損傷を受け易い果物等の内容物を収納するのに好適な包装容器に関するものである。
【背景技術】
【０００２】
従来、損傷を受け易い果物等の内容物、例えば、イチゴを産地から市場等に輸送する場合には、縦振動におけるイチゴに対する衝撃を緩和するために、図５に示すように、合成樹脂製のトレー１１にウレタンシート１２を敷いて、該ウレタンシート１２上に複数のイチゴ１３，１３…を相互に支え合うようにして、イチゴ１３，１３…を詰め合わせる。そして、塵埃の混入を防止する目的、並びに、イチゴ１３，１３…の産地を表示する目的で、薄いセロハンフィルム（図示せず）により覆ってしている（例えば、特許文献１,２参照）。
【特許文献１】特開２００６−８９０６２
【特許文献２】特開２００５−０１５０４６
【発明の開示】
【発明が解決しようとする課題】
【０００３】
上記従来技術は、輸送時の縦振動や衝撃によりイチゴの動きを抑止することができない。このため、隣接するイチゴ同士が接触して、イチゴの表面に擦り傷が発生し易い。又、トレーにウレタンシートを敷いているものの、効果的な衝撃緩衝作用が得難く、トレー自体の強度によりイチゴに当たり傷が生じ易い。
【０００４】
更に、外装ケース内にトレーをセットした後に、これを車両等によって輸送しているとき、外装ケースに対してトレー自体が動き易い。この場合、外装ケースの蓋部天面にイチゴが当たって該イチゴに損傷する。
【０００５】
また、トレーを外装ケースに対して宙に浮かすような包装方法もあるが、トラック等による輸送においては、縦振動の外に、トラック等の車両の停止、発進又は急ブレーキの繰り返しにより大きな横振動が作用する。このため、前記包装方法は、イチゴの損傷を有効に防止する対策とはなっていない。又、前記包装方法は、輸送中にトランポリン現象を招いて、縦振動及び横振動ともに振動の幅が増加する傾向にあり、イチゴが傷付きやすい状態にある。
【０００６】
以上の如く、従来の包装容器においては、輸送時に包装容器に振動や衝撃が作用してイチゴ等の内容物が損傷し、これに起因して内容物の鮮度劣化が早期に進行し、内容物の商品価値を低下させるという問題があった。
【０００７】
そこで、輸送時における果物等の内容物の損傷を防止するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、箱状の容器本体と、該容器本体内に装填され、且つ、果物等の内容物を載置収納する収納凹部が複数形成されたトレーと、前記容器本体を施蓋する箱状のカバーとから成る包装容器であって、該カバーの下面開口部に伸縮性フィルムシートを前記内容物に弾接するように張設し、該伸縮性フィルムシートによる弾接力により前記内容物の動きを抑止できるように構成したことを特徴とする包装容器を提供する。
【０００９】
この構成によれば、先ず、容器本体内にトレーを装填し、該トレーの収納凹部に果物等の内容物を載置収納した後、前記容器本体をカバーで施蓋すると、該カバーの下面開口部に張設した伸縮性フィルムシートがトレー上のイチゴ等の内容物に弾性的に接触する。そのため、伸縮性フィルムシートによる弾性的な接触圧（弾接力）により内容物が保持拘束される。依って、輸送時に包装容器に振動（縦振動及び横振動を含む）や衝撃が生じても、緩衝作用を発揮しつつ内容物の動きが抑止されるので、内容物同士が接触する恐れがない。
【００１０】
請求項２記載の発明は、上記容器本体の底面又は内側面に上記トレーの位置ずれを規制する突起部を設けたことを特徴とする請求項１記載の包装容器を提供する。
【００１１】
この構成によれば、容器本体の底面に設けた突起部により、トレーの位置が固定されて該トレーの位置ずれが規制される。依って、輸送時に振動や衝撃が生じた際でも、トレー上の内容物に対する拘束力が更にアップする。
【発明の効果】
【００１２】
請求項１記載の発明は、包装容器の輸送時、容器本体に振動や衝撃が作用しても、伸縮性フィルムシートによる弾性的な保持力により、緩衝作用を発揮しつつイチゴ等の内容物の動きを抑止できるので、内容物同士の接触による擦り傷を防止することができる。斯くして、擦り傷による内容物の鮮度劣化の進行が遅くなるので、内容物の新鮮な商品価値を長く保持することができる。
【００１３】
請求項２記載の発明は、振動や衝撃によるトレー上の内容物に対する拘束力が更にアップするので、内容物同士の接触による擦り傷を一層確実に防止することができる。
【発明を実施するための最良の形態】
【００１４】
本発明は、輸送時における内容物の損傷を防止するという目的を達成するために、箱状の容器本体と、該容器本体内に装填され、且つ、果物等の内容物を載置収納する収納凹部が複数形成されたトレーと、前記容器本体を施蓋する箱状のカバーとから成る包装容器であって、該カバーの下面開口部に伸縮性フィルムシートを前記内容物に弾接するように張設し、該伸縮性フィルムシートによる弾接力により前記内容物の動きを抑止できるように構成したことにより実現した。
【実施例】
【００１５】
以下、本発明の好適な一実施例を図１乃至図４に従って説明する。尚、本実施例は、包装容器に収納される内容物としてイチゴを例に挙げて説明するが、振動や衝撃等により損傷を受け易い内容物であれば、イチゴ以外の果物、野菜又は生鮮食品（鶏卵を含む）等に適用することができる。
【００１６】
図１は本実施例に係る包装容器の斜視図、図２は図１のＡ−Ａ線断面図である。両図において、１は透明な硬質の合成樹脂から成る容器本体（以下。「透明パック」という。）であり、該透明パック１の平面視形状は方形に形成されている。図３に示すように、透明パック１は上面開口部を有し、該透明パック１の上面周縁部にはフランジ部１Ａが周設されている。更に、透明パック１内には方形のトレー２が装填され、該トレー２は発泡材等の合成樹脂又は紙素材によりモールド成形されている。
【００１７】
前記透明パック１の深さは、トレー２の高さよりも所定寸法だけ大に設定されている。又、透明パック１の内側周縁部には、図１及び図３に示すように、台形状、コ字状若しくは円弧状の凹み部１Ｂ，１Ｂ…が連続的に形成されている。依って、透明パック１にトレー２を装填するとき、或いは、透明パック１からトレー２を取り出す際に、凹み部１Ｂ，１Ｂ…に指頭を挿入することにより、トレー２の装填又は取り出し作業を容易に実行できる。
【００１８】
又、透明パック１の底面には、図２及び図３に示すように、レール状若しくはリブ状に形成された単数又は複数本の突起部（突条部）３が所定間隔を有して設けられている。図示の実施例で突起部３の個数は２本とされ、該突起部３，３は透明パック１の縦方向（長手方向）と平行に延伸している。図２に示すように、突起部３，３はトレー２裏面の凹部を係合支持することにより、トレー２に対して位置固定部として機能する。
【００１９】
従って、トレー２は裏面の凹部を突起部３に係合させて透明パック１内にセットすることで、透明パック１底面の所定位置にトレー２が自動的に固定される。このため、パック１に振動や衝撃が作用しても、該透明パック１の横方向にトレー２が動くことが抑止される。
【００２０】
図４に示すように、トレー２には複数の収納凹部４，４…が設けられ、該収納凹部４，４…の内面はイチゴ５，５…の外面形状に倣う略カップ状に湾曲形成されている。本実施例では、収納凹部４，４…は３行４列とする合計１２個配設されている。又、トレー２は、イチゴ５，５…の種類若しくはサイズに応じて、最適なものに容易に取り替えることができる。
【００２１】
図３に示すように、上記透明パック１の一側部には、折曲げ部９を介して透明カバー６が開閉可能に設けられている。該透明カバー６は透明な硬質の合成樹脂から成り、下面開口部を有する箱状に形成されている。而して、透明カバー６を折曲げ部９に沿って透明パック１側に折り曲げて閉じると、図２に示すように、イチゴ５，５…の上側は透明カバー６により施蓋される。
【００２２】
図２及び図３に示すように、透明カバー６の下面周縁部にはフランジ部６Ａが周設され、該透明カバー６の下面開口部には、所要の適度な弾性及び引っ張り強度を有する伸縮性フィルムシート７が張設されている。伸縮性フィルムシート７の材料としては、例えばポリ塩化ビニル、ポリ塩化ビニリデン、ポリエチレン、ポリプロピレン等の材料を採択できる。
【００２３】
そのため、箱状の透明カバー６と伸縮性フィルムシート７との間には閉鎖空間部Ｓが形成され、該閉鎖空間部Ｓは伸縮性フィルムシート７に対してクッション作用を発生させる。尚、図２では説明の都合上、該伸縮性フィルムシート７の厚さを拡大して図示している。
【００２４】
而して、イチゴ５，５…の上側を透明カバー６で施蓋すると、伸縮性フィルムシート７はイチゴ５，５…の上側表面に弾性的に接触する。そのため、伸縮性フィルムシート７による弾性的な接触圧により、イチゴ５，５…は必要最小限の力で拘束されるため、振動や衝撃などを受けても動かないように保持される。
【００２５】
次に、上記包装容器８にイチゴ５，５…を詰める作業手順の１例を説明する。先ず、透明パック１内にトレー２を装填してセットする。この場合、トレー２の裏面側凹部を透明パック１の突起部３，３は係合させて装填することにより、透明パック１底面における所定のセット位置にトレー２が自動的に装填固定される。
【００２６】
ついで、トレー２の収納凹部４，４…にイチゴ５，５…を載置収納する。然る後、透明カバー６を折曲げ部９に沿って透明パック１側に折り曲げて蓋装し、透明パック１のフランジ部１Ａと透明カバー６のフランジ部６Ａとをステープル等で綴着する。これにより、図２に示すように、イチゴ５，５…の上側が透明カバー６で施蓋され、イチゴ５，５…の上側表面に伸縮性フィルムシート７が弾性的に接触する。
【００２７】
叙上の如く本発明によると、透明カバー６の下面開口部に伸縮性フィルムシート７を張設し、該透明カバー６の閉鎖時に伸縮性フィルムシート７がトレー２上のイチゴ５，５…に弾性的に接触するため、この弾性的な接触圧によりイチゴ５，５…が安定して保持拘束される。依って、輸送時に包装容器８に振動や衝撃が生じても、クッション作用を発揮しつつイチゴ５，５…の動きが抑止されるので、イチゴ５，５…同士が接触する恐れがない。
【００２８】
斯くして、イチゴ５，５…同士の接触による該イチゴ５，５…の擦り傷を防止できるので、擦り傷によるイチゴ５，５…の鮮度劣化が効率良く阻止され、該イチゴ５，５…の商品価値を長く保持することができる。
【００２９】
又、透明パック１の底面に突起部３を設け、該透明パック１内のトレー２の位置ずれを規制できるようにしたので、透明パック１に振動や衝撃が作用した場合、伸縮性フィルムシート７による弾性的な保持拘束力に加えて、突起部３による位置固定力によってもイチゴ５，５…の動きを拘束できる。
【００３０】
そのため、より柔らかいイチゴ５，５…であっても該イチゴ５，５…の損傷を一層確実に防止でき、以て、輸送時におけるイチゴ５，５…の品質の保持・安定性がアップする。更に、本発明の包装容器８を使用して包装ケースに包装する時に、包装容器８の積み重ねが可能になるので、包装ケースとしては一般的な段ボールを使用することが可能になり汎用性が向上する。
【００３１】
更に又、本発明の包装容器８は、イチゴ５，５…の詰め作業と同様に、透明パック１へのトレー２の装填作業を迅速に行うことができ、緩衝シートを載置する必要がなく、従って、従来のトレータイプの組み立て作業と比べると、作業工程が減少して生産効率が向上する。
【００３２】
上記実施例では、包装容器の内容物の具体例としてイチゴを挙げたが、一般に、本発明の包装容器は、産地直送の果物などの生鮮食品用収納容器として使用した場合、１種類のフルテクター（容器）で、果物などの産地若しくは玉数の違いに関わらず、種類や規格の異なる全てのトレーにも対応可能になる。又、トレーは内容物の種類若しくはサイズに応じて、最適なトレーに容易に取り替えることができる。
【００３３】
本発明の伸縮性フィルムシートは、様々なサイズ若しくは種類の内容物を弾性的に押圧して、該内容物を固定的に保持できる。特に、伸縮性フィルムシートと透明カバーの天面との間に閉鎖空間を設けたことにより、伸縮性フィルムシートから内容物に作用する保持拘束力が常に必要最小限に自動調整される。その結果、輸送中に大きな振動や衝撃が作用しても、内容物の鮮度劣化をより効果的に抑制することができる。
【００３４】
本発明は、本発明の精神を逸脱しない限り種々の改変を為すことができ、そして、本発明が該改変されたものに及ぶことは当然である。
【図面の簡単な説明】
【００３５】
【図１】本発明の一実施例を示し、包装容器を上方から見た斜視図。
【図２】図１のＡ−Ａ線断面図。
【図３】一実施例に係る包装容器の透明カバーを開放したとき状態を説明する斜視図。
【図４】一実施例に係るトレーを示す平面図。
【図５】従来例に係る包装容器を示す斜視図。
【符号の説明】
【００３６】
１    透明パック（容器本体）
２    トレー
３    突起部
４    収納凹部
５    イチゴ（内容物）
６    透明カバー
７    伸縮性フィルムシート
８    包装容器
９    折曲げ部
【図１】
2010168083.tif 000003
【図２】
2010168083.tif 000004
【図３】
2010168083.tif 000005
【図４】
2010168083.tif 000006
【図５】
2010168083.tif 000007